(57)【要約】【課題】表示装置が表示面側に露出するコントロールキーを備えていても、表示装置の狭額縁化を図れるようにする。【解決手段】表示装置１は、表示面２ａを有する表示パネル２と、表示パネル２の周縁を囲う額縁３と、表示面２ａ側に露出するように表示パネル２と額縁３との間に設けられ、光を表示面２ａ側から表示パネル２と額縁３との間に通して表示パネル２の背面２ｂ側に導く導光部４と、背面２ｂ側に配され、導光部４によって導かれた光を検出する光センサー５と、光センサー５を実装し、光センサー５と共に背面２ｂ側に配された回路基板６と、を備える。【選択図】図３
2020182184.tif 000002
【特許請求の範囲】
【請求項１】
表示面を有する表示パネルと、
前記表示パネルの周縁を囲う額縁と、
前記表示面側に露出するように前記表示パネルと前記額縁との間に設けられ、光を前記表示面側から前記表示パネルと前記額縁との間に通して前記表示パネルの背面側に導く導光部と、
前記背面側に配され、前記導光部によって導かれた前記光を検出する光センサーと、
前記光センサーを実装し、前記光センサーと共に前記背面側に配された回路基板と、を備える表示装置。
【請求項２】
前記導光部は、
前記表示面側に露出すると共に、前記表示パネルと前記額縁との間において前記表示面側から前記背面側まで延びるように配され、前記光を前記表示パネルの周縁に沿って前記表示面側から前記背面側に導く第一導光部と、
前記背面側に配され、前記第一導光部が導いた光を前記表示面と平行する面方向に導いて前記光センサーに到達させる第二導光部と、を備える請求項１に記載の表示装置。
【請求項３】
前記第一導光部は、前記第一導光部が導いた光を前記第二導光部に向けて反射させる反射面を有する請求項２に記載の表示装置。
【請求項４】
前記導光部が、前記表示パネルの周縁の周方向に間隔をあけて複数配列され、
隣り合う前記導光部のうち互いに向かい合う対向面に、当該対向面に対する前記光の透過を阻止する遮蔽部が設けられている請求項１から請求項３のいずれか一項に記載の表示装置。
【請求項５】
表示面を有する表示パネルと、前記表示パネルの周縁を囲う額縁と、を備える表示装置において、光を、導光部によって前記表示面側から前記表示パネルの周縁と額縁との間に通して前記表示パネルの背面側まで導き、前記背面側に配された光センサーに到達させる表示装置における光誘導方法。
【発明の詳細な説明】
【技術分野】
【０００１】
本発明は、表示装置、及び、表示装置における光誘導方法に関する。
【背景技術】
【０００２】
表示装置には、当該表示装置の設定情報（例えば表示装置の音量、明度、輝度、彩度、表示モードなど）を操作するためのコントロールキーを備えたものがある。
特許文献１，２には、表示パネルを囲む額縁に、コントロールキーを設けた表示装置が開示されている。特許文献１の表示装置では、コントロールキーとして、静電容量方式のスイッチを採用している。特許文献２の表示装置では、コントロールキーとして、指等で押し込むことで動作する物理的なスイッチを採用している。コントロールキーは、使い易さ（ユーザビリティ）の観点から、特許文献１の表示装置のように表示パネルの表示面側に露出していることが望ましい。
【先行技術文献】
【特許文献】
【０００３】
【特許文献１】特許第６２１１６６０号公報
【特許文献２】特開２００１−２３８１４６号公報
【発明の概要】
【発明が解決しようとする課題】
【０００４】
ところで、近年の表示装置では、額縁の幅寸法を狭くすること（狭額縁化）が求められている。しかしながら、静電容量方式のスイッチや物理的なスイッチをコントロールキーとして採用した表示装置では、コントロールキーをコントロール基板に実装する必要がある。このため、コントロールキーを表示面側に露出させる場合には、コントロール基板をコントロールキーと共に表示装置の額縁（表示パネルの周囲、表示面の外側）に配置する必要がある。その結果として、額縁の幅寸法がコントロール基板の分だけ大きくなってしまう、という問題がある。
【０００５】
この発明は、上述した事情に鑑みてなされたものであって、表示面側に露出するコントロールキーを備えていても、表示装置の狭額縁化を図ることができる表示装置、及び、表示装置における光誘導方法を提供することを目的とする。
【課題を解決するための手段】
【０００６】
本発明の一態様は、表示面を有する表示パネルと、前記表示パネルの周縁を囲う額縁と、前記表示面側に露出するように前記表示パネルと前記額縁との間に設けられ、光を前記表示面側から前記表示パネルと前記額縁との間に通して前記表示パネルの背面側に導く導光部と、前記背面側に配され、前記導光部によって導かれた前記光を検出する光センサーと、前記光センサーを実装し、前記光センサーと共に前記背面側に配された回路基板と、を備える表示装置である。
【０００７】
本発明の一態様は、表示面を有する表示パネルと、前記表示パネルの周縁を囲う額縁と、を備える表示装置において、光を、導光部によって前記表示面側から前記表示パネルの周縁と額縁との間に通して前記表示パネルの背面側まで導き、前記背面側に配された光センサーに到達させる表示装置における光誘導方法である。
【発明の効果】
【０００８】
本発明によれば、表示装置が表示面側に露出するコントロールキーを備えていても、表示装置の狭額縁化を図ることができる。
【図面の簡単な説明】
【０００９】
【図１】本発明の一実施形態に係る表示装置を示す斜視図である。
【図２】図１の表示装置の要部を示す正面図である。
【図３】図２のIII−III矢視断面図である。
【図４】図１〜３の表示装置において、表示パネルを額縁から取り外した状態の要部を示す斜視図である。
【図５】本発明の一実施形態に係る表示装置に備える導光部を示す斜視図である。
【図６】図５の導光部の作用を示す側面図である。
【図７】本発明の一実施形態に係る表示装置の概略ブロック図である。
【図８】本発明の一実施形態に係る表示装置が行う処理の流れを示すフローチャートである。
【図９】本発明の他の実施形態に係る表示装置の要部を示す斜視図である。
【図１０】本発明の他の実施形態に係る表示装置の要部を示す斜視図である。
【図１１】本発明の他の実施形態に係る表示装置の要部を示す断面図である。
【発明を実施するための形態】
【００１０】
以下、図１〜８を参照して本発明の一実施形態について説明する。
図１〜４に示すように、本実施形態に係る表示装置１は、表示パネル２と、額縁３（ベゼル）と、導光部４と、光センサー５と、スイッチ基板６（回路基板）と、を備える。また、本実施形態の表示装置は、バックカバー７を備える。
【００１１】
表示パネル２は、前側に表示面２ａを有する。表示面２ａには、各種の映像信号を表示することができる。表示パネル２は、正面（表示面２ａ側）から見て矩形状に形成されている。本実施形態において、表示パネル２は平板状に形成されている。また、表示面２ａは平坦である。表示パネル２は、例えば液晶ディスプレイパネルや有機ＥＬディスプレイパネル等であってよい。
【００１２】
額縁３は、表示パネル２の周縁を囲う。すなわち、額縁３は、表示パネル２の厚さ方向に延びる表示パネル２の側面２ｃを覆う。額縁３は、表示パネル２の側面２ｃに直交する方向を厚さ方向とする筒状に形成されている。具体的に、額縁３は、表示パネル２に倣う矩形の筒状に形成されている。
本実施形態においては、表示パネル２の厚さ方向における額縁３の長さ（額縁３の軸方向長さ）が、表示パネル２の厚さよりも長い。額縁３は、表示パネル２の背面２ｂ（表示面２ａと反対側の面）から表示パネル２の厚さ方向に突出する。
【００１３】
額縁３には、表示パネル２をその厚さ方向から支持する支持壁１１が一体に形成されている。支持壁１１は、額縁３の軸方向の中途部において額縁３の内周面３ｃから額縁３の内側に延びている。支持壁１１は、額縁３の周方向にも延びている。支持壁１１は、例えば額縁３の形状に倣う矩形の環状に形成されてよい。表示パネル２が額縁３の軸方向の一方側（図３において左側）から額縁３の内側に挿入された状態では、表示パネル２の背面２ｂが支持壁１１に接触する。
【００１４】
導光部４は、表示パネル２と額縁３との間に設けられる。導光部４は、光を表示パネル２の表示面２ａ側から表示パネル２と額縁３の間に通して表示パネル２の背面２ｂ側に導く。導光部４は、透明な材料、例えば透明な樹脂材料（ポリカーボネート（ＰＣ）等の熱可塑性プラスチック）や、透明なガラス材料等によって形成されてよい。
【００１５】
図３〜５に示すように、本実施形態の導光部４は、第一導光部４１と、第二導光部４２と、を備える。
第一導光部４１は、表示面２ａ側に露出すると共に、表示パネル２と額縁３との間において表示面２ａ側から背面２ｂ側に延びるように配される。第一導光部４１は、光を表示パネル２の周縁（側面２ｃ）に沿って表示面２ａ側から背面２ｂ側に導く。
【００１６】
本実施形態の第一導光部４１は、帯板状に形成されている。第一導光部４１は、その板厚方向に向く第一導光部４１の第一面４１ａが額縁３の内周面３ｃに対向するように、額縁３の内周面３ｃに配される。この状態では、第一導光部４１の長手方向が額縁３の軸方向に向く。また、第一導光部４１の幅方向が額縁３の周方向に向く。以下の説明では、表示面２ａ側に位置する第一導光部４１の長手方向の端部を第一端部４１１と呼び、背面２ｂ側に位置する第一導光部４１の長手方向の端部を第二端部４１２と呼ぶ。
【００１７】
額縁３の軸方向（表示パネル２の厚さ方向）における第一導光部４１の長さは、表示パネル２の厚さよりも長い。第一導光部４１は、表示パネル２の背面２ｂから突出する。表示パネル２の背面２ｂ側には支持壁１１が位置するが、第一導光部４１は支持壁１１に形成された貫通孔１１１を通るように配される。
第一導光部４１の第一端部４１１は、図３に例示するように表示パネル２の表示面２ａから突出してよいが、例えば、表示パネル２の表示面２ａと面一となるように配されてもよい。
【００１８】
第二導光部４２は、表示パネル２の背面２ｂ側に配される。第一導光部４１が導いた光を表示面２ａと平行する面方向（図３において上下方向）に導いて、後述する光センサー５に到達させる。
本実施形態において、第二導光部４２は、帯板状に形成されている。第二導光部４２は、第一面４１ａと反対側に向く第一導光部４１の第二面４１ｂから第一導光部４１の板厚方向に延びるように形成されている。第二導光部４２の板厚方向は、第一導光部４１の長手方向に一致している。第二導光部４２は、第一導光部４１の第二端部４１２に設けられている。これにより、第一、第二導光部４１，４２を含む導光部４がＬ字状に形成されている。
第二導光部４２は、第一導光部４１を額縁３の内周面３ｃに配した状態で、第一導光部４１に対して額縁３の内側（表示面２ａに沿う方向）に延びる。これにより、第二導光部４２は、表示パネル２の背面２ｂに対向するように配される。
【００１９】
本実施形態では、第一、第二導光部４２が一体に形成されている。すなわち、第一、第二導光部４２は、一つの部材からなる。
さらに、導光部４は、当該導光部４を額縁３の内周面３ｃに取り付けるための取付部４３を備える。取付部４３は、第一、第二導光部４１，４２に一体に形成され、第一導光部４１の第二端部４１２から第一導光部４１の長手方向に延びている。
【００２０】
図３，５，６に示すように、第一導光部４１は、反射面４１３を有する。反射面４１３は、第一導光部４１が導いた光を第二導光部４２に向けて反射させる。
反射面４１３は、第一導光部４１の長手方向において第二導光部４２を設けた位置（第二端部４１２）に配される。本実施形態において、反射面４１３は、第一導光部４１の第一面４１ａに形成されている。反射面４１３は、第一導光部４１の板厚方向において第一面４１ａから第二面４１ｂ側に向かうにしたがって、第一導光部４１の長手方向において第一導光部４１の第一端部４１１側から第二端部４１２側に向かうように、第一導光部４１の第一面４１ａに対して傾斜している。反射面４１３は平面状に形成されている。
【００２１】
本実施形態では、第一導光部４１にその第一面４１ａから窪む面形成凹部４１４を形成することで、反射面４１３が形成されている。面形成凹部４１４は、第一導光部４１の第一面４１ａを図６に示す側面視でＶ字状に切り欠くように形成されている。
本実施形態において、反射面４１３は第一導光部４１の幅方向の一端から他端まで延びているが、例えば第一導光部４１の幅方向に複数配列されてもよい。
【００２２】
図６に示すように、第一導光部４１の第一面４１ａに対する反射面４１３の傾斜角度θは、第一導光部４１において第一端部４１１から第二端部４１２に進む光が第二導光部４２に向けて反射する角度に設定されていればよい。
【００２３】
第一導光部４１の第一端部４１１から反射面４１３に至る光は、効率よく第二導光部４２に向かうように、透明なプラスチック成型部材である第一導光部４１の反射面４１３において、透過することなく全反射することが好ましい。
第一導光部４１において進む光が反射面４１３に到達すると、スネルの法則により屈折、反射が発生する。このとき、全反射のおこる臨界角θｃと、透明なプラスチック成型部材である第一導光部４１（導光部４）の屈折率ｎとの間には、以下の関係が成り立つ。
ｓｉｎθｃ＝１／ｎ
【００２４】
例えば、第一導光部４１（導光部４）にポリカーボネート材（ｎ=１．５９）を用いた場合は、臨界角θｃ=３８．９７°となる。この臨界角θｃより小さい角度（反射面４１３の法線４１３ａに近い角度）で入射した光は、全反射を起こさず一部が反射面４１３で屈折して第一導光部４１の外側に射出する。他方、臨界角θｃより大きい角度で入射した光は、反射面４１３で全反射を起こし、入射光の１００％が反射される。
【００２５】
したがって、第一導光部４１の第一面４１ａに対する反射面４１３の傾斜角度θは、全反射を実現するために以下の範囲となる。
９０°＞θ＞θｃ=３８．９７°
【００２６】
図６に示すように、例えば第一導光部４１において第一面４１ａに沿う方向（図６において右方向）に進む光路ＯＰ１の場合、光を第二導光部４２に向けて全反射させる反射面４１３の傾斜角度θは、図６の側面視で４５°の角度となる。図中符号ＯＰ２は反射面４１３で反射されて第二導光部４２に向けて進む光路を示す。
【００２７】
図２，４に示すように、導光部４は、表示パネル２の周縁の周方向に間隔をあけて複数配列されている。図示例では、導光部４が、表示パネル２の下端において、表示パネル２の横方向Ｄ１に三つ配列されている。なお、導光部４は、表示パネル２の上端や左右端に設けられてもよい。また、導光部４の数は、任意であってよい。
【００２８】
図３，４に示すように、光センサー５は、表示パネル２の厚さ方向において表示パネル２の背面２ｂ側に配される。また、光センサー５は、第二導光部４２に対して額縁３の内側に隣り合わせて配される。このため、光センサー５は、表示パネル２の背面２ｂに対向するように位置する。
光センサー５は、前述した導光部４によって表示パネル２の背面２ｂ側に導かれた光を検出する。光センサー５は、光を検出した際に信号を後述する判定部１２（図７参照）に出力する。光センサー５は、例えば単純に光の有無を検出するだけでもよいが、本実施形態では光量を検出する。本実施形態の光センサー５は、光の一種である赤外線を検出するパッシブセンサーである。
本実施形態の表示装置１は、前述した導光部４と同じ数（図４において三つ）の光センサー５を備える。複数の光センサー５は、複数の導光部４と同様に、表示パネル２の周縁の周方向に間隔をあけて配列されている。
【００２９】
図３に示すように、バックカバー７は、額縁３の軸方向の他方側（図３において右側）に配され、表示パネル２の背面２ｂ側を覆う。また、バックカバー７は、導光部４や光センサー５、スイッチ基板６を表示パネル２の背面２ｂ側から覆う。
【００３０】
以上のように構成される本実施形態の表示装置１では、赤外線が、表示面２ａ側に位置する第一導光部４１の第一端部４１１から第二端部４１２に向けて第一導光部４１内を進むことで、第一導光部４１の反射面４１３において反射する。反射した赤外線は、第二導光部４２に向けて進み、さらに第二導光部４２内を進む。その後、赤外線は、第二導光部４２から光センサー５に到達する。
すなわち、本実施形態に係る表示装置１では、赤外線（光）を導光部４によって表示面２ａ側から表示パネル２の周縁と額縁３との間に通して表示パネル２の背面２ｂ側まで導き、背面２ｂ側に配された光センサー５に到達させる光誘導方法を実施可能である。
【００３１】
図３，４に示すように、本実施形態の表示装置１では、前述した導光部４及び光センサー５が、表示装置１の設定情報（例えば音量、明度、輝度、彩度、表示モードなど）を操作するコントロールキー１０を構成する。
表示装置１の設定情報を操作する場合には、ユーザーの指を表示面２ａ側に露出する導光部４（第一導光部４１）に触れる又は近づければよい。この際、指から放出された赤外線（光）は、導光部４によって表示パネル２の表示面２ａ側から背面２ｂ側まで導かれ、背面２ｂ側に配された光センサー５において検出される。そして、光センサー５の検出結果に応じて後述する回路部１５（図７参照）が動作することで、表示装置１の設定情報を操作することができる。
【００３２】
スイッチ基板６は、前述の光センサー５を実装し、光センサー５と共に表示パネル２の背面２ｂ側に配される。具体的に、スイッチ基板６は、光センサー５と同様に、導光部４に対して額縁３の内側に隣り合わせて配される。このため、スイッチ基板６は表示パネル２の背面２ｂに対向するように位置する。スイッチ基板６は、例えば額縁３や支持壁１１に固定されてよい。
前述した光センサー５は、表示パネル２の背面２ｂに対向するスイッチ基板６の主面に実装される。また、複数の光センサー５が同一のスイッチ基板６に実装される。このため、スイッチ基板６は、複数の光センサー５の配列方向（図４において横方向Ｄ１）に延びている。
【００３３】
図７は、本実施形態における表示装置１の機能構成を示す概略ブロック図である。
表示装置１は、表示パネル２と、導光部４と、光センサー５と、判定部１２と、制御部１３と、メモリ１４と、を含む。導光部４及び光センサー５は、コントロールキー１０として機能する。コントロールキー１０の数は、導光部４や光センサー５の数に対応しており、本実施形態では三つである。光センサー５及び判定部１２は、スイッチ基板６に実装されている。判定部１２及び制御部１３は、光センサー５の検出結果に応じて動作する回路部１５を構成する。
【００３４】
判定部１２は、複数の光センサー５に各々接続されている。判定部１２は、どの光センサー５が反応したか（どの光センサー５が赤外線（光）を検出したか）を、光センサー５が接続されたポートに基づいて識別する。また、判定部１２は、反応した光センサー５において検出された赤外線の量（光量）が、所定値を越えているかどうかを判定する。判定部１２は、検出された赤外線の量が所定値を越えた光センサー５に対応する所定のスイッチ信号を制御部１３に出力する。
【００３５】
ここで、赤外線の量の所定値は、メモリ１４に基準値として予め記憶されてもよい。判定部１２は、メモリ１４に記憶された基準値を読み出し、光量の値が基準値を超えているか否かを判定する。
また、ここでは、光センサー５毎に異なるスイッチ信号が割り当てられており、判定部１２は、受信した赤外線の量が所定値を越えた光センサー５がいずれであるかを識別することで、識別された光センサー５に割り当てられたスイッチ信号を制御部１３に出力する。
【００３６】
制御部１３は、判定部１２に接続されている。制御部１３は、判定部１２から出力された所定のスイッチ信号に応じた情報をメモリ１４から参照し、当該情報を表示パネル２の表示面２ａに表示する。表示面２ａに表示される情報は、例えば音量、明度、輝度、彩度、表示モードなどの表示装置１の設定情報、すなわちＯＳＤ（On Screen Display）の情報であってよい。なお、メモリ１４に記憶される情報は、表示情報に限らず、例えば、表示装置１の設定を操作あるいは制御する情報（例えば表示面２ａの明度を変更する情報）などであってよい。
【００３７】
次に、主に図８のフローチャートを参照して、本実施形態の表示装置１の動作について説明する。
はじめに、ユーザーの指を表示面２ａ側に露出する複数の導光部４のうち一つ（例えば導光部４Ａ）に触れる又は近づけると、この導光部４Ａに対応する所定の光センサー５Ａは指から放出された赤外線（光）を検出する（ステップＳ１）。赤外線を検出しなかった場合には、所定のウエイト時間が経過した後に、ステップＳ１を再び実行する。所定の光センサー５Ａが赤外線を検出すると、光センサー５Ａは赤外線に応じた信号を判定部１２に出力する（ステップＳ２）。判定部１２は、信号を出力した光センサー５が複数の光センサー５Ａ，５Ｂ，５Ｃのいずれであるかを判定する（ステップＳ３）。次に、判定部１２は、ステップＳ３で設定された光センサー５Ａにおいて検出された赤外線の量が所定値を越えているかどうかを判定する。（ステップＳ４）。
【００３８】
ステップＳ４において、光センサー５Ａで検出された赤外線の量が所定値を越えていない場合には、ステップＳ１に戻る。一方、ステップＳ４において、光センサー５Ａにおいて検出された赤外線の量が所定値を越えている場合、判定部１２は、光センサー５Ａに対応する所定のスイッチ信号を制御部１３に出力する（ステップＳ５）。その後、制御部１３は、所定のスイッチ信号に応じた情報をメモリ１４から参照し（ステップＳ６）、参照した情報を表示パネル２の表示面２ａに表示する。（ステップＳ７）。
以上により、ユーザーの指によるコントロールキー１０の操作に応じた表示装置１の動作が完了する。
【００３９】
以上説明したように、本実施形態に係る表示装置１及び光誘導方法では、赤外線（光）が導光部４によって表示パネル２の表示面２ａ側から表示パネル２と額縁３の間を通って表示パネル２の背面２ｂ側に導かれる。このため、赤外線を検出する光センサー５やこれを実装するスイッチ基板６を、表示パネル２の背面２ｂ側に配することができる。これにより、光センサー５やスイッチ基板６が表示パネル２の周縁の外側にはみ出すことを抑制できる。すなわち、光センサー５やスイッチ基板６が表示パネル２の周縁の外側にはみ出す量を小さく抑えることができる。
【００４０】
また、本実施形態に係る表示装置１及び光誘導方法において、表示パネル２と額縁３との間に配される導光部４（特に第一導光部４１）は、光センサー５やスイッチ基板６と比較して薄く形成できる。
以上のことから、導光部４を含む表示装置１の額縁３の幅寸法Ｗ（図２参照）を小さく抑えることができる。すなわち、表示装置１が表示面２ａ側に露出するコントロールキー１０を備えていても、表示装置１の狭額縁化を図ることができる。
【００４１】
また、本実施形態に係る表示装置１では、第一導光部４１によって表示パネル２の表示面２ａ側から背面２ｂ側に導かれた赤外線（光）が、第二導光部４２によって表示面２ａと平行する方向（表示パネル２の周縁から内側に向かう方向）に導かれ、光センサー５に到達する。これにより、光センサー５及びこれを実装するスイッチ基板６を、表示パネル２の周縁の外側にはみ出さないように配置できる。すなわち、光センサー５及びスイッチ基板６は、表示パネル２の背面２ｂに対向するように配置できる。これにより、表示装置１の狭額縁化をさらに図ることができる。
【００４２】
また、本実施形態に係る表示装置１では、第一導光部４１が、赤外線（光）を第二導光部４２に向けて反射させる反射面４１３を有する。これにより、光センサー５に到達する赤外線（光）の量を一層確保することができる。これにより、ユーザーの指を導光部４に近づけたり触れたりした際に、指から放出する赤外線を光センサー５においてより確実に検出できる。
【００４３】
導光部４及び光センサー５を利用したコントロールキー１０を備える表示装置１では、ユーザーの指を導光部４に触れずに近づけるだけで、当該指から放出される赤外線が光センサー５において検出されることがある。ただし、指が導光部４に近づくものの触れないときに光センサー５で検出される赤外線の量は、指が導光部４に触れたときに光センサー５で検出される赤外線の量よりも小さい。
そこで、本実施形態の表示装置１において、判定部１２は、光センサー５において検出された赤外線の量が所定値を越えていない場合に、赤外線の検出を無効とする。これにより、ユーザーの指が導光部４に触れた場合にのみ、ユーザーによる表示装置１の操作を有効とし、ユーザーの指が導光部４に近づくものの触れない場合には、ユーザーによる表示装置１の操作を無効とすることができる。
【００４４】
以上、本発明に係る表示装置１及び光誘導方法の実施形態について説明したが、本発明は上記の実施形態に限定されるものではなく、その趣旨を逸脱しない範囲において適宜変更可能である。
【００４５】
本発明において、光センサー５は、例えば赤外線以外の光（可視光線や紫外線など）を検出するセンサーであってよい。
【００４６】
本発明の表示装置において、複数の導光部４が表示パネル２の周縁の周方向に間隔をあけて配列される場合には、例えば図９，１０に示すように、隣り合う導光部４のうち互いに向かい合う対向面４ｄに、遮蔽部１７が設けられてよい。遮蔽部１７は、導光部４の対向面４ｄに対する赤外線等の光の透過を阻止する。
遮蔽部１７は、例えば図９に示すように、導光部４（特に第一導光部４１）の対向面４ｄを覆う遮蔽用リブ１７Ａであってよい。遮蔽用リブ１７Ａは、額縁３に一体に形成されてよい。遮蔽用リブ１７Ａは、例えば導光部４と共に額縁３の内周面３ｃに固定されてもよい。また、遮蔽部１７は、例えば図１０に示すように、導光部４（特に第一導光部４１）の対向面４ｄに形成される塗装膜１７Ｂであってもよい。
【００４７】
遮蔽部１７を備える表示装置では、複数の導光部４のうち一の導光部４に入射した光の一部が、対向面４ｄから一の導光部４の外部に出射されて、一の導光部４に隣り合う別の導光部４に入射することを、遮蔽部１７によって阻止できる。これにより、複数の光センサー５が、複数の導光部４に個別に対応するように設けられていても、一の導光部４に入射した光が、これと対応しない別の光センサー５に到達することを防止できる。すなわち、光センサー５による光の誤検出が生じることを防ぎ、表示装置（特に回路部１５）が誤動作することを防止できる。
【００４８】
本発明の表示装置において、第一、第二導光部４１，４２は、例えば別個に形成されてもよい。この場合、第一、第二導光部４１，４２は、例えば間隔をあけて配されてもよいし、互いに接触するように配されてもよい。第一、第二導光部４１，４２が間隔をあけて配される場合、第一導光部４１の反射面４１３は、例えば第二導光部４２に対向する第一導光部４１の第二面４１ｂに形成されてもよい。
【００４９】
本発明の表示装置１及び光誘導方法において、導光部４は、例えば図１１に示すように、少なくとも表示面２ａ側に露出すると共に、表示パネル２と額縁３との間に配され、光を表示パネル２の周縁（側面）に沿って表示面２ａ側から背面側に導く第一導光部４１を備えればよい。すなわち、導光部４は、第二導光部４２を備えなくてもよい。図１１に例示する構成であっても、上記実施形態と同様の効果を奏する。
【符号の説明】
【００５０】
１  表示装置
２  表示パネル
２ａ  表示面
２ｂ  背面
２ｃ  側面
３  額縁
４  導光部
４ｄ  対向面
４１  第一導光部
４２  第二導光部
４１３  反射面
５  光センサー
６  スイッチ基板（回路基板）
７  バックカバー
１７  遮蔽部
１７Ａ  遮蔽用リブ
１７Ｂ  塗装膜
【図１】
2020182184.tif 000003
【図２】
2020182184.tif 000004
【図３】
2020182184.tif 000005
【図４】
2020182184.tif 000006
【図５】
2020182184.tif 000007
【図６】
2020182184.tif 000008
【図７】
2020182184.tif 000009
【図８】
2020182184.tif 000010
【図９】
2020182184.tif 000011
【図１０】
2020182184.tif 000012
【図１１】
2020182184.tif 000013